(57)【要約】【課題】ケーブル本体の固定機能とテンションメンバの固定機能との両者を備えた合理的な配線固定具を提供する。【解決手段】配線固定具１の本体１０を、背板１１の上下に一対の突片１２、１２を一体的に突設してなるコ字状に形成する。そして、背板１１の中央部には、前方へと膨出するアーチ状の膨出部１４を設け、該膨出部１４の左右両側部に、固定ネジを挿通可能な固定孔１５、１５を穿設する。また、突片１２、１２の背板１１との連結部の略中央には、膨出部１４に沿った形状の切り欠き１６を設け、本体１０の固定面への取付状態において、膨出部１４の後方にケーブル本体３を通すことができるようにする。さらに、各突片１２とフランジ部１３との連結部に、逆三角形状に切り欠かれた切り欠き部１７を設け、該切り欠き部１７内を挿通させることによって、本体１０の膨出部１４前方にテンションメンバ４を通すことができるようにする。【選択図】図１
2008015378.tif 000002
【特許請求の範囲】
【請求項１】
光成端箱内等において、光ケーブルのケーブル本体やテンションメンバを固定するための配線固定具であって、
ケーブル本体を固定するためのケーブル本体固定機構と、前記ケーブル本体と平行方向にテンションメンバを固定可能なテンションメンバ固定機構とを設けたことを特徴とする配線固定具。
【請求項２】
本体を、背板の上下に一対の突片を一体的に設けてなる側面コ字状に成形し、前記背板の左右両側部に、前記突片を前方へ突出させた姿勢で前記本体を固定面へ設置するための固定部材を取り付ける固定部を設けるとともに、該固定部間で且つ前記上下の突片間に亘って、前方へ膨出し、前記固定部材による固定面への取り付けによって後方に位置させたケーブル本体を固定面側へ押さえ付けて固定する膨出部を設ける一方、前記一対の突片に、テンションメンバを挿通可能な挿通孔を穿設するとともに、該挿通孔に挿通状態にあるテンションメンバを押さえ付けて固定する押圧手段を設け、
前記固定部材による固定面への取付状態において、前記本体の上方又は下方から、光ケーブルのケーブル本体は前記膨出部の後方に、テンションメンバは前記挿通孔に挿通させることによって、ケーブル本体又はテンションメンバの何れかを固定可能としたことを特徴とする請求項１に記載の配線固定具。
【請求項３】
ケーブル本体固定機構及びテンションメンバ固定機構を左右方向で複数備えてなることを特徴とする請求項１又は２に記載の配線固定具。
【発明の詳細な説明】
【技術分野】
【０００１】
本発明は、たとえば光成端箱内等において、光ケーブルやテンションメンバを固定するための配線固定具に関するものである。
【背景技術】
【０００２】
従来、たとえば光成端箱内において、光ケーブルのケーブル本体及び光ケーブルのテンションメンバは夫々専用の固定具にて固定されており、ケーブル本体を固定するケーブル固定具としては、特許文献１に開示されているもの、テンションメンバを固定するテンションメンバ固定具としては、特許文献２に開示されているようなものがある。
【０００３】
【特許文献１】特開２００１−２０１６４０号公報
【特許文献１】特開２０００−２６６９５５号公報
【０００４】
ここで、従来より知られているケーブル固定具８１及びテンションメンバ固定具８２について、図８をもとに説明する。図８は、光ケーブルの終端の固定に係る従来例について示した説明図である。
光ケーブルは、その終端においてケーブル本体８３からテンションメンバ８４が引き出された状態となっており、ケーブル本体８３及びテンションメンバ８４は、夫々専用のケーブル固定具８１及びテンションメンバ固定具８２により固定されている。
【０００５】
ケーブル固定具８１は、コ字状の本体８５の背板側を光成端箱内に固定可能としたものであって、背板から突設する一対の突片には、ケーブル本体８３を挿通可能な挿通孔８６が設けられている。また、一対の突片間には、本体８５を挿通するケーブル本体８３を背板側へと押圧して固定する押圧板８７が取り付けられており、ネジ８８、８８の締め付け具合によってケーブル本体８３の固定／解除を可能としている。一方、テンションメンバ固定具８２は、コ字状の本体８９の背板側を固定面から突出するように固定可能としたものであって、本体８９の背板から突設する一対の突片には、テンションメンバ８４を挿通可能な挿通孔９０が穿設されている。そして、本体８９の背板に取り付けられているネジ９１、９１の締め付け具合によって、挿通孔９０を挿通状態にあるテンションメンバ８４の固定／解除を可能としている。
【０００６】
上述したようなケーブル固定具８１及びテンションメンバ固定具８２によれば、光成端箱内における光ケーブルの入線方向にしたがって両固定具８１、８２を設置し、ケーブル本体８３をケーブル固定具８１により、テンションメンバ８４をテンションメンバ固定具８４によって夫々固定していた。
【発明の開示】
【発明が解決しようとする課題】
【０００７】
しかしながら、上述したような従来のケーブル固定具８１及びテンションメンバ固定具８２を用いると、両固定具８１、８２を一旦設置した（たとえば光成端箱内に取り付けた）後で、光ケーブルの入線方向を変更したいような場合に、両固定具８１、８２を一度取り外して再設置し直す必要があり、煩わしい。また、各固定具８１、８２は、ケーブル本体８３又はテンションメンバ８４を固定する専用の固定具であるため、光ケーブルの固定作業にかかる部品の種類が多くなり、両固定具８１、８２の管理や使い分け等が煩雑であるという問題もある。
【０００８】
そこで、本発明は、上記問題を解決すべくなされたものであって、ケーブル本体の固定機能とテンションメンバの固定機能との両者を備えた合理的な配線固定具を提供しようとするものである。
【課題を解決するための手段】
【０００９】
上記目的を達成するために、本発明のうち請求項１に記載の発明は、光成端箱内等において、光ケーブルのケーブル本体やテンションメンバを固定するための配線固定具であって、ケーブル本体を固定するためのケーブル本体固定機構と、前記ケーブル本体と平行方向にテンションメンバを固定可能なテンションメンバ固定機構とを設けたことを特徴とする。
請求項２に記載の発明は、請求項１に記載の発明において、本体を、背板の上下に一対の突片を一体的に設けてなる側面コ字状に成形し、前記背板の左右両側部に、前記突片を前方へ突出させた姿勢で前記本体を固定面へ設置するための固定部材を取り付ける固定部を設けるとともに、該固定部間で且つ前記上下の突片間に亘って、前方へ膨出し、前記固定部材による固定面への取り付けによって後方に位置させたケーブル本体を固定面側へ押さえ付けて固定する膨出部を設ける一方、前記一対の突片に、テンションメンバを挿通可能な挿通孔を穿設するとともに、該挿通孔に挿通状態にあるテンションメンバを押さえ付けて固定する押圧手段を設け、前記固定部材による固定面への取付状態において、前記本体の上方又は下方から、光ケーブルのケーブル本体は前記膨出部の後方に、テンションメンバは前記挿通孔に挿通させることによって、ケーブル本体又はテンションメンバの何れかを固定可能としたことを特徴とする。
請求項３に記載の発明によれば、請求項１又は２に記載の発明において、ケーブル本体固定機構及びテンションメンバ固定機構を左右方向で複数備えてなることを特徴とする。
【発明の効果】
【００１０】
本発明によれば、配線固定具に、ケーブル本体を固定するためのケーブル本体固定機構と、ケーブル本体と平行方向にテンションメンバを固定可能なテンションメンバ固定機構との両者を設けているため、光ケーブルの固定に係り固定箇所毎に専用の固定具を夫々準備する必要がない。したがって、従来と比較して、固定具に係る生産コストの低減を図ることができ、固定具の管理も容易となる上、固定箇所において固定具を使い分ける必要もなく、使い勝手が良い。
また、固定面への取付状態において、たとえば光ケーブルの終端における入線方向の上下を逆にしたいような場合に、取付状態にある配線固定具を取り外すことなく対応することができ、作業性に優れている。さらに、光ケーブルの設置態様の変更に際し、光ケーブルの終端（特にテンションメンバ）を固定していた箇所にて、光ケーブルのケーブル本体の固定を行うことも可能であり、極めて使い勝手が良い。
さらにまた、請求項２に記載の発明によれば、光ケーブルの固定に際して、前方へ膨出する膨出部にてケーブル本体を押さえ付けるような固定を可能としているとともに、押圧手段によって挿通孔に挿通されたテンションメンバを押さえ付けるような固定を可能としているため、固定可能な光ケーブルのケーブル本体やテンションメンバの径に拘らず、汎用性に富む。
加えて、請求項３に記載の発明によれば、ケーブル本体固定機構及びテンションメンバ固定機構を左右方向で複数備えているため、複数の光ケーブルを平行に固定したい場合等に、固定作業を非常に簡易化することができる。
【発明を実施するための最良の形態】
【００１１】
以下、本発明の一実施形態となる配線固定具について、図面をもとに説明する。
【００１２】
図１は、本発明に係る配線固定具１を示した説明図であって、（ａ）は正面から見た説明図、（ｂ）は側方から見た説明図、（ｃ）は下方から見た説明図である。図２は、配線固定具１、１により光ケーブル２の終端を固定した状態を示した説明図であり、（ａ）と（ｂ）とでは光ケーブル２の入線方向が異なっている。図３は、配線固定具１によって光ケーブル２のケーブル本体３を固定した状態を示した説明図であり、図４は、配線固定具１によって光ケーブル２のテンションメンバ４を固定した状態を示した説明図である。
【００１３】
配線固定具１は、背板１１の上下に一対の突片１２、１２を一体的に突設してなるコ字状の本体１０を有したものであり、背板１１を光成端箱内等の固定面に当接させた状態で取り付けられる。背板１１の中央部には、前方へと膨出するアーチ状の膨出部１４が設けられており、該膨出部１４の左右両側部には、配線固定具１を固定面に取り付けるための固定ネジ（固定部材）３０（図３に示す）を挿通可能な固定孔（固定部）１５、１５が穿設されている。
【００１４】
また、突片１２、１２の背板１１との連結部の略中央には、膨出部１４に沿った形状の切り欠き１６が設けられており、固定面への取付状態において、本体１０の後方、すなわち膨出部１４の後方にケーブル本体３を通すことができるようになっている。
さらに、突片１２、１２の先端には、夫々外方へと突出するフランジ部１３、１３が設けられている。そして、各突片１２とフランジ部１３との連結部には、逆三角形状に切り欠かれた切り欠き部（挿通孔）１７が設けられており、該切り欠き部１７内を挿通させることによって、本体１０の膨出部１４前方にテンションメンバ４を通すことができるようになっている。
【００１５】
加えて、各フランジ部１３の基端部（突片１２との連結部）には、上記切り欠き部１７前方へ突出する押さえ片１８が突設されている。該押さえ片１８には、前後方向に進入／後退する押さえネジ（押圧手段）１９が取り付けられおり、該押さえネジ１９の進入具合を調節することによって、押さえネジ１９の軸部先端と切り欠き部１７前面との距離の調節、すなわち切り欠き部１７内を挿通するテンションメンバ４の固定／解除を可能としている。
【００１６】
以上のような配線固定具１は、光ケーブル２の入線方向に沿って複数個設置され、膨出部１４にてケーブル本体３を、切り欠き部１７、１７及び押さえネジ１９、１９によってテンションメンバ４を固定することができる。以下、配線固定具１の取り付け、及びケーブル本体３、テンションメンバ４の固定について説明する。
【００１７】
配線固定具１は、たとえば光成端箱内等において、背板１１を固定面側に向けた状態で固定孔１５、１５に固定ネジ３０、３０を挿通させ、各固定ネジ３０を固定面に螺入させて取り付けられる。このように配線固定具１を固定面に取り付けると、膨出部１４と固定面との間に、ケーブル本体３を挿通可能なスペース２０が形成される。そこで、該スペース２０にケーブル本体３を挿通させ、固定ネジ３０、３０を締め付けることにより、ケーブル本体３を、膨出部１４にて固定面に押さえ付けるようにして固定することができる（図３に示す）。
【００１８】
また、光ケーブル２の終端にてケーブル本体３から引き出されたテンションメンバ４は、配線固定具１の切り欠き部１７、１７間を渡すように挿通させ、押さえネジ１９を締め付けることにより、押さえネジ１９と切り欠き部１７の角部上面とで挟持固定することができる（図４に示す）。
【００１９】
上述したような配線固定具１によれば、膨出部１４や固定ネジ３０等といったケーブル本体固定機構と、切り欠き部１７や押さえネジ１９等といったテンションメンバ固定機構との両者を具備しているため、光ケーブル２の固定に係り固定箇所毎に専用の固定具を夫々準備する必要がない。したがって、従来と比較して、固定具に係る生産コストの低減を図ることができ、固定具の管理も容易となる上、固定箇所において固定具を使い分ける必要もなく、使い勝手が良い。
【００２０】
また、膨出部１４の後方に形成されるスペース２０や切り欠き部１７等へケーブル本体３やテンションメンバ４を挿通させることによりそれらを固定可能としているため、固定面への取付状態において、光ケーブル２の終端における入線方向をたとえば図２（ａ）に示すような方向から図２（ｂ）に示すような方向に変更したい場合に、配線固定具１を取り外すことなく対応することができ、作業性に優れている。
さらに、光ケーブル２の設置態様の変更に際し、図２に示す如く光ケーブル２の終端を固定していた箇所にて、図５に示す如く光ケーブル２のケーブル本体３の固定のみを行うことも可能であり、極めて使い勝手が良い。
【００２１】
さらにまた、光ケーブル２の固定に際して、アーチ状の膨出部１４にてケーブル本体３を押さえ付けるように固定するとともに、押さえネジ１９によって押さえ付けられたテンションメンバ４を逆三角形状の切り欠き部１７の角部前面で受けるようにしているため、光ケーブル２を確実に押し付け固定することができる。
加えて、固定ネジ３０及び押さえネジ１９の締め付け具合の調整により、ケーブル本体３及びテンションメンバ４の固定／解除を行うことができるため、ケーブル径等の異なる種々の光ケーブルの固定に用いることができ、汎用性に富む。
【００２２】
なお、本発明の配線固定具に係る構成は、上記実施形態の態様に何ら限定されるものではなく、本体、ケーブル本体固定機構、及びテンションメンバ固定機構等に係る構成を、本発明の趣旨を逸脱しない範囲で、必要に応じて適宜変更することができる。
【００２３】
たとえば、図６に示す如き配線固定具１ａとしてもよい。配線固定具１ａは、上記実施形態に記載の配線固定具を左右に一体的に連設してなるものであって、ケーブル本体固定機構とテンションメンバ固定機構とを夫々複数備えたなるものである。該構成とすることにより、上記実施形態に記載の配線固定具が奏する効果に加え、複数の光ケーブルを平行に固定したい際に、光ケーブルの固定作業を簡易化することができるし、平行に固定する光ケーブルの入線方向にも拘らない（たとえば、図６に示す如く逆方向であっても対応することができる）ため、使い勝手が良い。
【００２４】
また、図７に示す如き配線固定具１ｂとすることも可能である。配線固定具１ｂは、上記実施形態に記載の配線固定具におけるケーブル本体固定機構とテンションメンバ固定機構とを左右方向に略光ケーブル１本分の径だけずらして設けたものである。該配線固定具１ｂを用いて光ケーブル２の終端を固定する際には、図７に示す如く、一方の配線固定具１ｂを１８０度回転させて固定面に取り付け、一方の配線固定具１ｂにてケーブル本体３を、他方の配線固定具１ｂにてテンションメンバ４を上記実施形態に記載の配線固定具と同様に固定することができる。このような配線固定具１ｂを用いることにより、固定していた光ケーブル２の入線方向を逆とする場合に、上記実施形態に記載の配線固定具と同様、固定面から取り外すことなく光ケーブル２の入線方向を逆とすることができる、入線方向が逆の光ケーブル２を平行に設置する際の設置作業が容易となる等といった効果を奏することができる。
【００２５】
さらに、膨出部の後面に、ケーブル本体を押し付ける際にケーブル本体を傷つけないように緩衝部材を設置するようにしてもよいし、膨出部の形状を、前方へ突出する三角形状に形成しても何ら問題はない。
加えて、テンションメンバを押さえネジの先端によって直接押圧するのではなく、押さえネジとテンションメンバとの間に板状の押圧部材を介在させるようにし、押さえネジが押圧部材を押圧することにより、押圧部材がテンションメンバを押さえ付けるような構成とすることも可能である。
【図面の簡単な説明】
【００２６】
【図１】本発明に係る配線固定具を示した説明図であって、（ａ）は正面から見た説明図、（ｂ）は側方から見た説明図、（ｃ）は下方から見た説明図である。
【図２】配線固定具により光ケーブルの終端を固定した状態を示した説明図であり、（ａ）と（ｂ）とでは光ケーブルの入線方向を異ならせている。
【図３】配線固定具により、光ケーブルのケーブル本体を固定した状態を示した説明図である。
【図４】配線固定具により、光ケーブルのテンションメンバを固定した状態を示した説明図である。
【図５】配線固定具にて、ケーブル本体を固定した状態を示した説明図である。
【図６】配線固定具の変更例を示した説明図である。
【図７】配線固定具の別の変更例を示した説明図である。
【図８】光ケーブルの終端の固定に係る従来例について示した説明図である。
【符号の説明】
【００２７】
１・・配線固定具、２・・光ケーブル、３・・ケーブル本体、４・・テンションメンバ、１０・・本体、１１・・背板、１２・・突片、１３・・フランジ部、１４・・膨出部、１５・・固定孔、１６・・切り欠き、１７・・切り欠き部、１８・・押さえ片、１９・・押さえネジ、３０・・固定ネジ。
【図１】
2008015378.tif 000003
【図２】
2008015378.tif 000004
【図３】
2008015378.tif 000005
【図４】
2008015378.tif 000006
【図５】
2008015378.tif 000007
【図６】
2008015378.tif 000008
【図７】
2008015378.tif 000009
【図８】
2008015378.tif 000010